(57)【要約】【課題】  高速な起動を維持しつつ、光ディスクの衝突等の防止をはかる。【解決手段】  最初に仮決め処理で仮決めした光ディスクの媒体種類が誤っているとステップ２４，２６で判断された場合は、ステップ２８へ進まないようにしてフォーカスオン動作を禁止し、リトライ処理の中のステップ３２によって読み取りのためのレーザー光源の種類を変えた上、ステップ３６でレーザー光源を利用してフォーカスサーチを行ってＳ字個数をカウントする。そして、同カウント結果は記憶され、再度、フォーカスオン動作処理に戻ることで、上記エラー判定を含めたフォーカスオン動作に移行することになる。【選択図】  図２
2013229076.tif 000002
【特許請求の範囲】
【請求項１】
複数の種類の光ディスクを再生可能な光ディスク装置であって、
フォーカスサーチ機能と、
フォーカスオン機能と、
前記フォーカスサーチ機能をリトライするリトライ機能とを備え、
前記フォーカスサーチ機能は、
各光ディスクの媒体種別に応じたレーザー光を照射する手段と、
レーザー光を照射させた状態でフォーカス位置を変化させながら、光ディスクからの反射光に基づくＦＥ信号の変化から、所定の閾値を挟んで１つの極大値および極小値を有する波形の個数を検出する検出手段と、
前記光ディスクの媒体種別を仮決定する仮決定手段とを含み、
前記フォーカスオン機能は、
少なくとも前記検出された波形の個数に基づいて、前記仮決定された光ディスクの媒体種別の正否を判定する判定手段と、
前記判定手段によって前記仮決定された光ディスクの媒体種別が正と判定された場合、フォーカスオン動作を実行するフォーカスオン動作手段とを含み、
前記リトライ機能は、前記判定手段によって前記仮決定された光ディスクの媒体種別が否と判定された場合、前記仮決定された光ディスクの媒体種別を変更し、当該変更された媒体種別に応じたレーザー光を照射して、前記フォーカスサーチ機能をリトライする、光ディスク装置。
【請求項２】
前記判定手段は、前記検出された波形の個数が０個の場合、前記仮決定された光ディスクの媒体種別を否と判定することを特徴とする、請求項１に記載の光ディスク装置。
【請求項３】
前記判定手段は、前記検出された波形の個数と、前記仮決定された光ディスクの媒体種別とに基づいて、前記仮決定された光ディスクの媒体種別の正否を判定することを特徴とする、請求項１〜請求項２のいずれかに記載の光ディスク装置。
【請求項４】
前記判定手段は、前記検出された波形の個数が、前記仮決定された光ディスクの媒体種別に応じた個数である場合、前記仮決定された光ディスクの媒体種別を正と判定することを特徴とする、請求項３に記載の光ディスク装置。
【請求項５】
前記レーザー光を照射する手段は、各光ディスクの媒体種別に応じて複数の種類の異なるレーザー光を照射可能であることを特徴とする、請求項１〜請求項４のいずれかに記載の光ディスク装置。
【請求項６】
複数の種類の光ディスクを再生可能な光ディスク装置が実行する光ディスク読取方法であって、
フォーカスサーチステップおよびフォーカスオンステップを含み、
前記フォーカスサーチステップは、
各光ディスクの媒体種別に応じたレーザー光を照射するステップと、
レーザー光を照射させた状態でフォーカス位置を変化させながら、光ディスクからの反射光に基づくＦＥ信号の変化から、所定の閾値を挟んで１つの極大値および極小値を有する波形の個数を検出する検出ステップと、
前記光ディスクの媒体種別を仮決定する仮決定ステップとを含み、
前記フォーカスオンステップは、
少なくとも前記検出された波形の個数に基づいて、前記仮決定された光ディスクの媒体種別の正否を判定する判定ステップと、
前記判定ステップで前記仮決定された光ディスクの媒体種別が正と判定された場合、フォーカスオン動作を実行するフォーカスオン動作ステップとを含み、
前記判定ステップで前記仮決定された光ディスクの媒体種別が否と判定された場合、前記仮決定された光ディスクの媒体種別を変更し、当該変更された媒体種別に応じたレーザー光を照射して、前記フォーカスサーチステップをリトライする、光ディスク読取方法。
【発明の詳細な説明】
【技術分野】
【０００１】
本発明は、複数の種類のレーザー光源を利用して光ディスクを読み取る光ディスク装置と光ディスク読取方法に関する。
【背景技術】
【０００２】
光ディスク媒体には複数の種類があり、光ディスクを読み取る場合、その種類に応じた設定としなければならない。光ディスクの媒体種類を判別する際に、いわゆるＳ字の個数を利用するものが知られている。
特許文献１には、ＦＥ信号のＳ字カーブを検出して光ディスクの装着の正否を判断する技術が開示されている。
特許文献２には、ＦＥ信号のＳ字カーブの個数、時間を計数して光ディスクの種類を判別する技術が開示されている。
【０００３】
特許文献３には、フォーカスサーチを行って光ディスクの種類を判定する技術が開示されている。
特許文献４には、Ｓ字信号が出現した時の駆動値から光ディスクを識別する技術が開示されている。
特許文献５には、フォーカスＳ字信号を用いて光ディスクの記録層数を検出する技術が開示されている。
これらの公報には、ＦＥ信号のＳ字信号を光ディスクの識別に使用する技術が開示されている。
【０００４】
なお、衝突防止について開示するものとして、特許文献６が知られている。特許文献６には、ディスク種類の誤判別に起因する対物レンズと光ディスク装置との衝突防止のための技術が開示されている。
【先行技術文献】
【特許文献】
【０００５】
【特許文献１】特開２００７−０２６５８０号公報
【特許文献２】特開２００７−０９５１４４号公報
【特許文献３】特開２００９−０５９４０１号公報
【特許文献４】特開２０１１−０７６６８４号公報
【特許文献５】特開２００９−０７０４８６号公報
【特許文献６】特開２００６−１１４０８６号公報
【発明の概要】
【発明が解決しようとする課題】
【０００６】
光ディスクを再生（読み取る）する際に、初期設定として全ての光ディスクの媒体種類に応じた設定で読み取りを試み、同種類を判別するには非常に時間がかかる。従って、読み取りの度にこのステップを踏んで光ディスクを判別するのは、ユーザーに毎回その間は待たせることを強いるものであり、商品としての使用勝手に欠けていた。すなわち、高速な起動のためには、起動時に完全な光ディスクの媒体種類の判定を行うことはなかった。
【０００７】
本発明は、高速な起動を維持しつつ、光ディスクの衝突等の防止をはかる光ディスク装置と光ディスクの読取方法を提供する。
【課題を解決するための手段】
【０００８】
本発明は、複数の種類のレーザー光源を利用可能であり、最初にフォーカスサーチを行うと共に光ディスクの媒体種類を仮決めした後、同仮決めした光ディスクの媒体種類を前提としてフォーカスオンを実行する光ディスク装置であって、最初に仮決めした光ディスクの媒体種類が誤っている場合は、フォーカスオン動作を禁止し、上記レーザー光源の種類を変え、同レーザー光源を利用してフォーカスサーチを行ってＳ字個数をカウントし、同カウントの結果を記憶し、再度、フォーカスオン動作に移行する構成としてある。
【０００９】
上記の構成においては、最初にフォーカスサーチを行うと共に光ディスクの媒体種類を仮決めした後、同仮決めした光ディスクの媒体種類を前提としてフォーカスオンを実行する。しかし、仮決めは正しいとは限らないので、最初に仮決めした光ディスクの媒体種類が誤っている場合は、フォーカスオン動作を禁止する。その上で、上記レーザー光源の種類を変え、同レーザー光源を利用してフォーカスサーチを行ってＳ字個数をカウントし、同カウントの結果を記憶し、再度、フォーカスオン動作に移行する。
【発明の効果】
【００１０】
本発明によれば、誤った設定のままでフォーカスオン動作を行うことはないし、完全な媒体種別の判定を行わないので高速起動の要望にも応じることができる。
【図面の簡単な説明】
【００１１】
【図１】光ディスク装置の概略ブロック図である。
【図２】本光ディスク装置が実行する起動プログラムのフローチャートである。
【図３】フォーカスサーチ時のＦＥ信号の波形図である。
【発明を実施するための形態】
【００１２】
以下、図面にもとづいて本発明の実施形態を説明する。
図１は、本発明の一実施形態にかかる光ディスク装置をブロック図により示している。
同図において、ディスク装置１０は、ブルーレイディスク、ＤＶＤ、ＣＤの各光ディスクを読み取り可能である。各光ディスクの媒体種類に応じて、レーザー光源の種類や光量が異なり、所定の設定を経る必要がある。本実施例では、レーザー光源の種類や光量を変更可能であり、その意味で複数の種類のレーザー光源を利用可能といえる。
ディスク装置１０は、光学レンズ１４が設けられた光ピックアップ１２を備えている。光学レンズ１４は、トラッキングアクチュエータ１６およびフォーカスアクチュエータ１８によって支持され、レーザ光源２０から放出される所望の種類で所望の光量としたレーザ光は、このような光学レンズ１４で収束されて光ディスク３８の記録面に照射される。なお、光ピックアップ１２は、スレッドモータ３６によって光ディスク３８の径方向に移動する。
【００１３】
光ディスク面からの反射光は、同じ光学レンズを通過して光検出器２２に入射される。光検出器２２の出力は、ＴＥ信号検出回路２４およびＦＥ信号検出回路２６に入力され、それぞれでＴＥ信号（トラッキングエラー信号）およびＦＥ信号（フォーカスエラー信号）が検出される。検出されたＴＥ信号およびＦＥ信号は、ＤＳＰ（Digital Signal Processor）に設けられたＡ／Ｄ変換器３０ａおよび３０ｂにそれぞれ入力される。
【００１４】
一方、光ディスク３８はスピンドル４０の上に搭載され、スピンドルモータ４２によって回転する。スピンドルモータ４２は回転数に関連するＦＧ信号を発生し、このＦＧ信号はＤＳＰ２８のＡ／Ｄ変換器３０ｃに入力される。
このようにしてＡ／Ｄ変換器３０ａ〜３０ｃに入力されたＴＥ信号，ＦＥ信号およびＦＧ信号は、ディジタル信号に変換された後、ＤＳＰコア３２に入力される。ＤＳＰコア３２は、ＴＥ信号に基づいてトラッキングサーボ処理を実行し、ＦＥ信号に基づいてフォーカスサーボ処理を実行し、そして、ＦＧ信号に基づいてスピンドルサーボ処理を実行する。
【００１５】
トラッキングサーボ処理によってトラッキングアクチュエータ制御信号およびスレッド制御信号が生成され、対応するＰＷＭ信号がＰＷＭドライバ３４ａおよび３４ｃからトラッキングアクチュエータ１６およびスレッドモータ３６に出力される。また、フォーカスサーボ処理によってフォーカスアクチュエータ制御信号が生成され、対応するＰＷＭ信号がＰＷＭドライバ３４ｂからフォーカスアクチュエータ１８に出力される。さらに、スピンドルサーボ処理によってスピンドルモータ制御信号が生成され、対応するＰＷＭ信号がＰＷＭドライバ３４ｄからスピンドルモータ４２に出力される。
【００１６】
このように、ＴＥ信号検出回路２４，ＤＳＰ２８，トラッキングアクチュエータ１６およびスレッドモータ３６によってトラッキングサーボ系が形成され、ＴＥ信号に基づいて光学レンズ１４のトラッキングが適切に制御される。また、ＦＥ信号検出回路２６，ＤＳＰ２８およびフォーカスアクチュエータ１８によってフォーカスサーボ系が形成され、ＦＥ信号に基づいて光学レンズ１４のフォーカスが適切に制御される。さらに、スピンドルモータ４２およびＤＳＰ２８によってスピンドルサーボ系が形成され、ＦＧ信号に基づいてスピンドル４０つまり光ディスク３８の回転数が適切に制御される。この結果、レーザ光源２０から出力された所望の種類のレーザ光は所望のトラックに所望の光量で照射され、ディスク面に照射されて反射し、反射信号から記録データを読み取ることができる。
【００１７】
ＤＳＰ２８は、上述したサーボ系の処理に加え、図２に示すソフトウェア系の処理も実行する。
図２は、本光ディスク装置が実行する起動プログラムのフローチャートである。
本プログラムには、大きく分けてブルーレイディスク（ＢＤ）かＤＶＤかＣＤかの仮決め処理（仮決定手段、仮決定ステップ）と、フォーカスオン動作処理（フォーカスオン機能、フォーカスオンステップとフォーカスオン動作ステップ）と、リトライ処理（リトライ機能、リトライステップ）とが含まれている。そして、最初の仮決め処理を実行後、フォーカスオン動作処理を実施する。ただし、フォーカスオン動作処理の中で仮決めが誤判定と判断されれば、リトライ処理を実行し、再度、フォーカスオン動作処理を実行することになる。
【００１８】
最初の仮決め処理では、ステップ１０（Ｓ１０と表記。以下、同様。）にてレーザー光を発光させ、ステップ１２でフォーカスサーチを実行（フォーカスサーチ機能）し、その間にＳ字をカウントする。
図３は、フォーカスサーチ時のＦＥ信号の波形図を示している。
フォーカスサーチは、レーザー発光をさせた状態でフォーカス位置を変化させながら、ＦＥ信号変化に基づいて行う。フォーカスアクチュエータ１８でフォーカス位置を変化させると、レーザー光の反射光が光検出器２２に入力され、その出力信号に基づいてＦＥ信号検出回路２６がＦＥ信号を出力する。このＦＥ信号はレーザー光の焦点が所望の記録面に合致する前後で所定のしきい値を横切るように変化する。
【００１９】
この変化地点が焦点位置であり、その前後のＦＥ信号の変化形状からＳ字と呼ぶ。このように、Ｓ字の波形は、レーザー光を照射させた状態でフォーカス位置を変化させながら、光ディスクからの反射光に基づくＦＥ信号の変化から、所定の閾値を挟んで１つの極大値および極小値を有する波形のことを指す。そして、この波形の個数を検出することが、Ｓ字をカウントする処理にあたる。
シングルディスクであれば、表面、記録層、レーベル面の３点でＳ字が現れる可能性がある。表面やレーベル面では信号変化が弱いこともあるので、３点以下、１点以上となる。また、二層記録の場合は、記録層が二層あるので、表面とレーベル面を加味しても４点以下、２点以上となる。また、ＢＤ−ＸＬ規格のブルーレイディスクの場合は３層または４層の記録層があるので、Ｓ字は６点以下、３点以上となる。
【００２０】
ステップ１４では、ディスク決定するか否かを判断する。このディスク決定は基本的には予め決定したディスクの媒体種類に決定するだけの処理であり、ディスクの媒体種類を判定する処理があるわけではない。むろん、極めて簡単な判定処理を行ない、その判定処理で明らかにデフォルトのディスクの媒体種類でないことがはっきりした場合のみ、ステップ１０に戻って別のディスクの媒体種類を前提としたレーザー光を発光させてフォーカスサーチを行っても良い。
以上の処理を経て、通常はデフォルトの光ディスクの媒体種類が仮決めされた上、フォーカスサーチの実行結果としてＳ字の数が記憶されることになる。
【００２１】
フォーカスオン動作処理では、スピンドル４０装填されている光ディスク３８の記録データを読み取るために記録層に焦点を合わせる動作を行う。まず、ステップ２０でディスクを回転させ、ステップ２２でＦＥ信号の調整を行い、ステップ２８でのフォーカスオン実行の準備を整える。ただし、ステップ２８を実行する前に、ステップ２８を実行する前にステップ２４とステップ２６でＳ字の個数に基づいたエラー判定を実施している。
ディスク装置は、光ディスクの媒体種類に対応するＳ字の個数をルックアップテーブルに予め記録していても構わない。これにより、仮決めされた光ディスクの媒体種類が正しいか否かを高速に判断することができ、さらに、光ディスクの媒体種類が拡張された場合は、当該ルックアップテーブルを更新すればよく、汎用性が向上する。
【００２２】
ステップ２４ではＳ字の個数が０個か判定する。上述したように記録層がある以上は少なくともＳ字の個数は１個以上であるはずである。従って、Ｓ字の個数が０個であれば、フォーカスサーチを実行したときのレーザー光源の設定が誤っていると考えられる。それは、仮決めした光ディスクの媒体種類が誤っていた（仮決定された光ディスクの媒体種別を否と判定する）ことを意味する。
すなわち、このように検出された波形（Ｓ字）の個数に基づいて、先に仮決定された光ディスクの媒体種別の正否を判定できると言え、判定手段が実現されている。
むろん、高速起動のために予め決められた順序に従って光ディスクの媒体種類を仮決めしているので、このような誤判定が生じるのも想定されており、その現れとしてリトライ処理が用意されている。
ステップ２６では、仮決めした光ディスクの媒体種類がＢＤ−ＸＬ規格のブルーレイディスクである場合、上述したようにＳ字の個数は３個以上のはずであり、記憶されているＳ字の個数が２個以下であれば、仮決めされた光ディスクの媒体種類は誤っていることになる。
すなわち、この場合は、光ディスクの媒体種類がＢＤ−ＸＬ規格のブルーレイディスクであると仮決めした判定が、Ｓ字の個数が２個以下であるという検出結果により、否である判断されたことになり、判定手段が実現されている。また、ある制限付きではあるが、検出された波形の個数と、仮決定された光ディスクの媒体種別とに基づいて、仮決定された光ディスクの媒体種別の正否を判定したといえる。
また、仮決めしたのがＢＤ−ＸＬ規格であるときに、Ｓ字の個数が５個以上であれば、その仮決めは正しいと判定できることになる。すなわち、判定手段は、検出された波形の個数が、前記仮決定された光ディスクの媒体種別に応じた個数である場合、前記仮決定された光ディスクの媒体種別を正と判定したといえる。
以上のように、判定をできる組合せをルックアップテーブルとして整理しておくことで、制限付きで、波形の個数と仮決定された媒体種別とに基づいて、仮決定の判定の正否を行える場合もある。
【００２３】
このようにいずれかの判定で仮決めした光ディスクの媒体種類が誤っていることが分かれば、ステップ２８でのフォーカスオン実行をすることなくリトライ処理を実行する。なお、フォーカスオン実行をすることなくリトライ処理を実行することは、言い換えるとステップ２８のフォーカスオン実行をしないことであり、この意味では「フォーカスオン動作の禁止」をしていると言える。むろん、処理が平行しているときにはフラグを備えておき、このフラグにフォーカスオン動作の許可と禁止を表す機能を持たせるようにし、同フラグに禁止を表す値を設定することも可能である。
【００２４】
リトライ処理は、ステップ３０〜３６にて、フォーカスオン動作の禁止後、スピンダウンし、レーザー光源の設定を変えてからフォーカスサーチを行う。ステップ３０では、光ディスクの回転を止め（スピンダウンさせ）、スピンドル４０上の光ディスク３８の回転を停止させる。ステップ３２ではディスクタイプ（光ディスクの媒体種類）を切り換える。これは予め予定されている順番に従って光ディスクの媒体種類を変えていく過程の一つである。例えば、ノーマルのブルーレイディスク、ＢＤ−ＸＬ規格のブルーレイディスク、ＤＶＤ、ＣＤという順番が設定されているとする。最初の二つは共にブルーレイディスクであるため、レーザー光源は同じとしつつも所望の光量には差がある場合もある。３番目と４番目はＤＶＤとＣＤであり、光源は共通であるが、光量は異なる。このように光ディスクの媒体種類に応じたレーザー光源と光量が異なるので、今回の順番の光ディスクの媒体種類に合ったものを設定する処理がステップ３２のディスクタイプ（光ディスクの媒体種類）を切り換え処理に相当する。言い換えれば、仮決めの変更回数をカウントしておき、その変更回数を引数として、別途記憶している光ディスクの媒体種類に応じたレーザー光源種類と光量との組合せを読み出し、設定すればよい。
【００２５】
ステップ３４では、このようにして仮決めされた光ディスクの媒体種類に対応させてレーザー発光させ、ステップ３６では、上述したようにフォーカスサーチを行う。そして、カウントしたＳ字の個数をカウント結果として記憶する。
このリトライ処理は、予め設定された順序に従って光ディスクの媒体種類を仮決めし、それに見合う設定でフォーカスサーチを行い、Ｓ字の個数をカウントしている。従って、厳密な意味で光ディスクの種類を判別しているわけではない。しかし、高速起動という目的には見合っていると言える。また、カウントされたＳ字の個数はフォーカスオン動作処理で利用され、光ディスクの判定としてのステップ２４，２６で誤判定と判定される場合には、フォーカスオンが禁止されてフォーカスオン動作が行われることはないので、誤判別に起因する対物レンズと光ディスクとの衝突は防止できる。
リトライ処理は、予め設定された順序に従って光ディスクの媒体種類を仮決めしていたが、その順序は、変更しても構わない。例えば、ディスク装置は、フォーカスオン動作を実行した媒体種別を履歴として記録しておき、実行回数の多い媒体種類の順にしても構わないし、直近に実行した媒体種別を最初にしても構わない。さらに、最初に仮決定する光ディスクの媒体種類も当該履歴に基づいて仮決定しても構わない。これにより、リトライ回数を低減することができる。
【００２６】
以上、説明したように、本実施例においては、最初に仮決め処理で仮決めした光ディスクの媒体種類が誤っているとステップ２４，２６で判断された場合は、ステップ２８へ進まないようにしてフォーカスオン動作を禁止し、リトライ処理の中のステップ３２によって読み取りのためのレーザー光源の種類を変えた上、ステップ３６でレーザー光源を利用してフォーカスサーチを行ってＳ字個数をカウントする。そして、同カウント結果は記憶され、再度、フォーカスオン動作処理に復帰することで、上記エラー判定を含めたフォーカスオン動作に移行することになる。
【００２７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００２８】
１０…ディスク装置、１２…光ピックアップ、１４…光学レンズ、１６…トラッキングアクチュエータ、１８…フォーカスアクチュエータ、２０…レーザ光源、２２…光検出器、２４…ＴＥ信号検出回路、２６…ＦＥ信号検出回路、２８…ＤＳＰ、３０ａ〜３０ｃ…Ａ／Ｄ変換器、３２…ＤＳＰコア、３４ａ〜３４ｄ…ＰＷＭドライバ、３６…スレッドモータ、３８…光ディスク、４０…スピンドル、４２…スピンドルモータ。
【図１】
2013229076.tif 000003
【図２】
2013229076.tif 000004
【図３】
2013229076.tif 000005